(57)【特許請求の範囲】
【請求項１】
光伝送システムに適用されるＦＥＣフレーム構成方法において、ｎ（ｎは任意の自然数）個のサブフレームにおけるオーバヘッド情報からなる冗長情報および伝送情報に対してｍ（ｍは自然数であり、かつｎの因数）個のサブフレーム毎に符号化し第１の誤り訂正符号を生成して、それら生成された第１の誤り訂正符号を冗長情報として付加する第１の誤り訂正符号生成工程と、上記第１の誤り訂正符号生成工程によって第１の誤り訂正符号が付加されたｎ個のサブフレームをｍ個のサブフレーム毎に区分して、ｎ／ｍ単位のサブフレームのオーバヘッド情報および第１の誤り訂正符号からなる冗長情報および伝送情報のうちの少なくともいずれか一方に対してｌ（ｌは任意の自然数）回インタリーブするインタリーブ工程と、上記インタリーブ工程によってインタリーブされたｎ個のサブフレームにおけるオーバヘッド情報および第１の誤り訂正符号からなる冗長情報および伝送情報に対してｍ個のサブフレーム毎に符号化し第２の誤り訂正符号を生成して、それら生成された第２の誤り訂正符号を冗長情報として付加する第２の誤り訂正符号生成工程と、上記第２の誤り訂正符号生成工程によって第２の誤り訂正符号が付加されたｎ個のサブフレームをｎ多重化してＦＥＣフレームを生成するＦＥＣフレーム生成工程とを備えたＦＥＣフレーム構成方法。
【請求項２】
光伝送システムに適用されるＦＥＣフレーム構成方法において、ｎ（ｎは任意の自然数）個のサブフレームをｍ（ｍは自然数であり、かつｎの因数）個のサブフレーム毎に区分して、ｎ／ｍ単位のサブフレームのオーバヘッド情報からなる冗長情報および伝送情報のうちの少なくともいずれか一方に対してｌ（ｌは任意の自然数）回インタリーブするインタリーブ工程と、上記インタリーブ工程によってインタリーブされたｎ個のサブフレームにおけるオーバヘッド情報からなる冗長情報および伝送情報に対してｍ個のサブフレーム毎に符号化し第１の誤り訂正符号を生成して、それら生成された第１の誤り訂正符号を冗長情報として付加する第１の誤り訂正符号生成工程と、上記第１の誤り訂正符号生成工程によって第１の誤り訂正符号が付加されたｎ個のサブフレームに対してｌ回デインタリーブして上記インタリーブ工程によってインタリーブされた情報を元の情報に戻すデインタリーブ工程と、上記デインタリーブ工程によってデインタリーブされたｎ個のサブフレームにおけるオーバヘッド情報および第１の誤り訂正符号からなる冗長情報および伝送情報に対してｍ個のサブフレーム毎に符号化し第２の誤り訂正符号を生成して、それら生成された第２の誤り訂正符号を冗長情報として付加する第２の誤り訂正符号生成工程と、上記第２の誤り訂正符号生成工程によって第２の誤り訂正符号が付加されたｎ個のサブフレームをｎ多重化してＦＥＣフレームを生成するＦＥＣフレーム生成工程とを備えたＦＥＣフレーム構成方法。
【請求項３】
ｌはｎ／ｍであることを特徴とする請求項１または請求項２記載のＦＥＣフレーム構成方法。
【請求項４】
ｌはｎ／ｍのｋ（ｋは任意の自然数）倍であり、ｋ個のＦＥＣフレームを１周期として、各ＦＥＣフレームのそれぞれ異なる情報に対してｎ／ｍ回のインタリーブを行うことを特徴とする請求項１または請求項２記載のＦＥＣフレーム構成方法。
【請求項５】
第１の誤り訂正符号および第２の誤り訂正符号がそれぞれＲＳ（ｑ，ｒ）およびＲＳ（ｐ，ｑ）で表示されるリードソロモン符号（ｐ，ｑおよびｒは自然数であり、ｐ＞ｑ＞ｒ、ｐは第２の誤り訂正符号の符号長、ｑは第２の誤り訂正符号の情報長および第１の誤り訂正符号の符号長、ｒは第１の誤り訂正符号の情報長）であることを特徴とする請求項１または請求項２記載のＦＥＣフレーム構成方法。
【請求項６】
伝送情報を並列情報に多重分離する第１の多重分離手段と、上記第１の多重分離手段によって多重分離された並列情報に冗長情報領域を付加して伝送速度を上昇させる第１の速度変換手段と、上記第１の速度変換手段によって付加された冗長情報領域にオーバヘッド情報を挿入するオーバヘッド挿入手段と、上記オーバヘッド挿入手段によってオーバヘッド情報が挿入された並列情報の順序を組み替える第１のインタリーブ手段と、上記第１のインタリーブ手段によって順序が組み替えられた並列情報のオーバヘッド情報および伝送情報に対して第１の誤り訂正符号を生成し、その生成された第１の誤り訂正符号を冗長情報領域に格納する第１の誤り訂正符号化手段と、上記第１の誤り訂正符号化手段によって冗長情報領域に第１の誤り訂正符号が格納された並列情報の上記第１のインタリーブ手段において組み替えられた順序を再び元の順序に組み直す第１のデインタリーブ手段と、上記第１のデインタリーブ手段によって組み直された並列情報のオーバヘッド情報、伝送情報および第１の誤り訂正符号に対して第２の誤り訂正符号を生成し、その生成された第２の誤り訂正符号を冗長情報領域に格納する第２の誤り訂正符号化手段と、上記第２の誤り訂正符号化手段によって冗長情報領域に第２の誤り訂正符号が格納された並列情報を多重化してＦＥＣフレームを生成する第１の多重化手段と、上記第１の多重化手段によって生成され、光伝送路を通じて伝送されたＦＥＣフレームを並列情報に多重分離する第２の多重分離手段と、上記第２の多重分離手段によって多重分離された並列情報の冗長情報領域に格納されたオーバヘッド情報に応じて並列情報の先頭位置を検出するフレーム同期手段と、上記フレーム同期手段によって同期された並列情報の冗長情報領域に格納された第２の誤り訂正符号を復号処理し、並列情報の誤りを訂正する第２の誤り訂正復号手段と、上記第２の誤り訂正復号手段によって誤りが訂正された並列情報の順序を上記第１のインタリーブ手段と同様に組み替える第２のインタリーブ手段と、上記第２のインタリーブ手段によって組み替えられた並列情報の冗長情報領域に格納された第１の誤り訂正符号を復号処理し、並列情報の残留した誤りを訂正する第１の誤り訂正復号手段と、上記第１の誤り訂正復号手段によって誤りが訂正された並列情報の上記第２のインタリーブ手段において組み替えられた順序を再び元の順序に組み直す第２のデインタリーブ手段と、上記第２のデインタリーブ手段によって組み直された並列情報の冗長情報領域に格納されたオーバヘッド情報を分離するオーバヘッド分離手段と、上記オーバヘッド分離手段によってオーバヘッド情報が分離された並列情報の冗長情報領域を削除して伝送速度を低下させる第２の速度変換手段と、上記第２の速度変換手段によって冗長情報領域が削除された並列情報を多重化して伝送情報を出力する第２の多重化手段とを備えたＦＥＣ多重化装置。
【請求項７】
第２の誤り訂正復号手段、第２のインタリーブ手段、第１の誤り訂正復号手段、および第２のデインタリーブ手段からなる誤り訂正手段を多段縦続接続したことを特徴とする請求項６記載のＦＥＣ多重化装置。
【請求項８】
請求項１または請求項２記載のＦＥＣフレーム構成方法に応じてＦＥＣフレームを構成すると共に、その構成されたＦＥＣフレームを処理することを特徴とする請求項６または請求項７記載のＦＥＣ多重化装置。
【発明の詳細な説明】
【０００１】
【発明の属する技術分野】
この発明は、光伝送システムにおいてＦＥＣ（Ｆｏｒｗａｒｄ  Ｅｒｒｏｒ  Ｃｏｒｒｅｃｔｉｏｎ）により光ＳＮＲの劣化によるビット誤りを訂正して長距離、大容量伝送を実現するためのＦＥＣフレーム構成方法およびＦＥＣ多重化装置に関するものである。
【０００２】
【従来の技術】
図８は例えばＩＴＵ−Ｔ勧告Ｇ．９７５に示された従来のＦＥＣ多重化装置を示す構成図であり、図において、１は２．５Ｇｂｉｔ／ｓＳＴＭ−１６データを１６並列１５６Ｍｂｉｔ／ｓデータに多重分離する第１の多重分離回路、２は１６並列１５６Ｍｂｉｔ／ｓデータを１２８並列１９Ｍｂｉｔ／ｓデータに多重分離する第２の多重分離回路である。３は１２８並列１９Ｍｂｉｔ／ｓデータに冗長情報領域を付加して、その冗長情報領域を付加した分だけ伝送速度を２１Ｍｂｉｔ／ｓに上昇させる第１の速度変換回路、４は光伝送システムの保守、運用に必要な例えばフレーム同期情報等のオーバヘッド情報を冗長情報領域に挿入するオーバヘッド挿入回路である。５はオーバヘッド情報およびＳＴＭ−１６データに対して誤り訂正符号を生成し、その冗長情報を冗長情報領域に格納するリードソロモン（ＲＳ）符号で表わされるＲＳ（２５５，２３９）符号化回路、６はオーバヘッド情報および誤り訂正符号が付加されたＳＴＭ−１６データを１６並列１６７Ｍｂｉｔ／ｓデータに多重化する第１の多重化回路、７は１６並列１６７Ｍｂｉｔ／ｓデータを２．６６Ｇｂｉｔ／ｓＦＥＣフレームに多重化する第２の多重化回路である。
【０００３】
また、８は第２の多重化回路７によって多重化され、光伝送路を通じて伝送された２．６６Ｇｂｉｔ／ｓＦＥＣフレームを１６並列１６７Ｍｂｉｔ／ｓデータに多重分離する第３の多重分離回路、９は１６並列１６７Ｍｂｉｔ／ｓデータを１２８並列２１Ｍｂｉｔ／ｓデータに多重分離する第４の多重分離回路である。１０は１２８並列２１Ｍｂｉｔ／ｓデータに付加された冗長情報領域のオーバヘッド情報に応じて１２８並列２１Ｍｂｉｔ／ｓデータの先頭位置を検出するフレーム同期回路、１１は１２８並列２１Ｍｂｉｔ／ｓデータの復号処理を行い、付加された冗長情報領域の誤り訂正符号の復号に応じてＦＥＣフレーム内のデータの誤りを検出して、元の正しいデータに訂正するＲＳ（２５５，２３９）復号回路である。１２は１２８並列２１Ｍｂｉｔ／ｓデータの冗長情報領域からオーバヘッド情報を分離するオーバヘッド分離回路、１３は１２８並列２１Ｍｂｉｔ／ｓデータから冗長情報領域を削除して、冗長情報領域を削除した分だけ伝送速度を１９Ｍｂｉｔ／ｓに低下させる第２の速度変換回路、１４は１２８並列１９Ｍｂｉｔ／ｓデータを１６並列１５６Ｍｂｉｔ／ｓデータに多重化する第３の多重化回路、１５は１６並列１５６Ｍｂｉｔ／ｓデータを２．５Ｇｂｉｔ／ｓＳＴＭ−１６データに多重化する第４の多重化回路である。
【０００４】
次に動作について説明する。
図８において、第１の多重分離回路１は、２．５Ｇｂｉｔ／ｓＳＴＭ−１６データを１６並列１５６Ｍｂｉｔ／ｓデータに多重分離し、さらに、第２の多重分離回路２は、１６並列１５６Ｍｂｉｔ／ｓデータを１２８並列１９Ｍｂｉｔ／ｓデータに多重分離する。第１の速度変換回路３は、１２８並列１９Ｍｂｉｔ／ｓデータに冗長情報領域を付加して、その冗長情報領域を付加した分だけ伝送速度を上昇させ、１２８並列２１Ｍｂｉｔ／ｓデータに変換し、オーバヘッド挿入回路４は、冗長情報領域に光伝送システムの保守、運用に必要な例えばフレーム同期情報等のオーバヘッド情報を挿入する。ＲＳ（２５５，２３９）符号化回路５は、オーバヘッド情報およびＳＴＭ−１６データに対して誤り訂正符号を生成し、その冗長情報を冗長情報領域に格納する。第１の多重化回路６は、オーバヘッド情報および冗長情報が付加されたＳＴＭ−１６データを１６並列１６７Ｍｂｉｔ／ｓデータに多重化し、さらに、第２の多重化回路７は、１６並列１６７Ｍｂｉｔ／ｓデータを２．６６Ｇｂｉｔ／ｓＦＥＣフレームに多重化して、光伝送路に伝送する。
【０００５】
また、第３の多重分離回路８は、第２の多重化回路７によって多重化され、光伝送路を通じて伝送された２．６６Ｇｂｉｔ／ｓＦＥＣフレームを１６並列１６７Ｍｂｉｔ／ｓデータに多重分離し、さらに、第４の多重分離回路９は、１６並列１６７Ｍｂｉｔ／ｓデータを１２８並列２１Ｍｂｉｔ／ｓデータに多重分離する。フレーム同期回路１０は、１２８並列２１Ｍｂｉｔ／ｓデータに付加された冗長情報領域のオーバヘッド情報に応じて１２８並列２１Ｍｂｉｔ／ｓデータの先頭位置を検出し、ＲＳ（２５５，２３９）復号回路１１は、１２８並列２１Ｍｂｉｔ／ｓデータを復号処理し、付加された冗長情報領域の誤り訂正符号の冗長情報の復号に応じてＦＥＣフレーム内のデータの誤りを検出して、元の正しいデータに訂正する。オーバヘッド分離回路１２は、１２８並列２１Ｍｂｉｔ／ｓデータの冗長情報領域からオーバヘッド情報を分離し、第２の速度変換回路１３は、１２８並列２１Ｍｂｉｔ／ｓデータから冗長情報領域を削除して、冗長情報領域を削除した分だけ伝送速度を１９Ｍｂｉｔ／ｓに低下させ、第３の多重化回路１４は、１２８並列１９Ｍｂｉｔ／ｓデータを１６並列１５６Ｍｂｉｔ／ｓデータに多重化し、さらに、第４の多重化回路１５は、１６並列１５６Ｍｂｉｔ／ｓデータを２．５Ｇｂｉｔ／ｓＳＴＭ−１６データに多重化する。
【０００６】
図９はオーバヘッド挿入回路から出力されるＦＥＣフレームを示す構成図であり、図１０はＲＳ（２５５，２３９）符号化回路から出力されるＦＥＣフレームおよび第２の多重化回路から出力されるＦＥＣフレームを示す構成図である。
図９に示すように、オーバヘッド挿入回路４から出力されるＦＥＣフレームは、１ビットのオーバヘッド情報、２３８ビットのＳＴＭ−１６データ、１６ビットのＲＳ（２５５，２３９）誤り訂正符号からなるサブフレーム１〜１２８により構成され、図１０に示すように、ＲＳ（２５５，２３９）符号化回路５によって、８サブフレーム毎に誤り訂正符号化される。例えば、サブフレーム１〜８では、オーバヘッド情報およびＳＴＭ−１６データに対して誤り訂正符号ＥＲ０−０〜ＥＲ０−１５の演算が行われ、１６ビットのＲＳ（２５５，２３９）冗長情報領域に格納される。また、第２の多重化回路７から出力されるＦＥＣフレームは、サブフレーム１〜１２８を順次多重化することにより生成される。
ここで、ｆは任意の自然数であり、誤り訂正符号ＥＲ０−０〜ＥＲ０−１５の多重化数を示しており、図９および図１０においては、ｆ＝１６の例を示している。
このＦＥＣフレームでは、第２の多重分離回路２から出力されるＦＥＣフレームが２３８ビットのＳＴＭ−１６データであるのに対して、第１の速度変換回路３によって、１ビットのオーバヘッド情報および１６ビットのＲＳ（２５５，２３９）冗長情報からなる冗長情報領域が付加され、その冗長情報領域を付加した分だけ伝送速度が上昇されるので、元のＳＴＭ−１６データの伝送速度に対して伝送速度が２５５／２３８倍上昇し、ＦＥＣフレームの伝送速度は２．５Ｇｂｉｔ／ｓから２．６６Ｇｂｉｔ／ｓとなる。
このように、ＦＥＣフレームを構成することにより、ビット誤りを訂正することができるので、光ＳＮＲの劣化する光伝送システムにおいて、高品質なサービスを提供することができ、長距離、あるいは、大容量光伝送システムを構築することが可能となる。
また、図９および図１０に示したＦＥＣフレーム構成において、サブフレームにおけるＳＴＭ−１６データを短縮して２３８ビットから１１０ビットとして、ＲＳ（２５５，２３９）誤り訂正符号化をＲＳ（１２７，１１１）誤り訂正符号化とすれば、対象とする情報に対する誤り訂正符号の比率が上昇するため、誤り訂正性能を向上させることができる。
【０００７】
【発明が解決しようとする課題】
従来のＦＥＣフレーム構成方法およびＦＥＣ多重化装置は以上のように構成されているので、光伝送路の伝送距離をより長距離としたり、または、波長多重システムにおいて波長数を増加させると、光ＳＮＲが大幅に劣化するので、これを補うために、例えば、対象とする情報に対する誤り訂正符号の比率を上昇させることによりある程度までは補正できるが、この対象とする情報に対する誤り訂正符号の比率の上昇によって、第１の速度変換回路３による伝送速度の上昇比率をより高めなくてはならず、例えば、ＲＳ（１２７，１１１）誤り訂正符号化ではＳＴＭ−１６データの伝送速度が２．５Ｇｂｉｔ／ｓに対してＦＥＣフレームの伝送速度が１２７／１１０倍の２．８９Ｇｂｉｔ／ｓとなり、光伝送特性の劣化量が大きくなってしまう。このため、対象とする情報に対する誤り訂正符号の比率を上昇させても所定の品質の長距離、大容量光伝送システムを構築できないなどの課題があった。
【０００８】
この発明は、上記のような課題を解決するためになされたもので、情報に対する誤り訂正符号の比率が上昇して伝送速度が上昇し、光伝送特性の劣化量が増加しても、大幅な誤り訂正性能の向上が可能なＦＥＣフレーム構成方法およびＦＥＣ多重化装置を得ることを目的とする。
【０００９】
【課題を解決するための手段】
この発明に係るＦＥＣフレーム構成方法は、ｎ個のサブフレームにおける情報に対してｍ個のサブフレーム毎に符号化し第１の誤り訂正符号を生成して付加する第１の誤り訂正符号生成工程と、第１の誤り訂正符号が付加されたｎ個のサブフレームをｍ個のサブフレーム毎に区分して、ｎ／ｍ単位のサブフレームの情報に対してｌ回インタリーブするインタリーブ工程と、ｎ個のサブフレームにおける情報に対してｍ個のサブフレーム毎に符号化し第２の誤り訂正符号を生成して付加する第２の誤り訂正符号生成工程と、第２の誤り訂正符号が付加されたｎ個のサブフレームをｎ多重化してＦＥＣフレームを生成するＦＥＣフレーム生成工程とを備えたものである。
【００１０】
この発明に係るＦＥＣフレーム構成方法は、ｎ個のサブフレームをｍ個のサブフレーム毎に区分して、ｎ／ｍ単位のサブフレームの情報に対してｌ回インタリーブしてｎ個のサブフレームを生成するインタリーブ工程と、ｎ個のサブフレームにおける情報に対してｍ個のサブフレーム毎に符号化し第１の誤り訂正符号を生成して付加する第１の誤り訂正符号生成工程と、第１の誤り訂正符号が付加されたｎ個のサブフレームに対してｌ回デインタリーブしてインタリーブ工程によってインタリーブされた情報を元の情報に戻すデインタリーブ工程と、ｎ個のサブフレームにおける情報に対してｍ個のサブフレーム毎に符号化し第２の誤り訂正符号を生成して付加する第２の誤り訂正符号生成工程と、第２の誤り訂正符号が付加されたｎ個のサブフレームをｎ多重化してＦＥＣフレームを生成するＦＥＣフレーム生成工程とを備えたものである。
【００１１】
この発明に係るＦＥＣフレーム構成方法は、ｌをｎ／ｍとしたものである。
【００１２】
この発明に係るＦＥＣフレーム構成方法は、ｌはｎ／ｍのｋ倍であり、ｋ個のＦＥＣフレームを１周期として、各ＦＥＣフレームのそれぞれ異なる情報に対してｎ／ｍ回のインタリーブを行うものである。
【００１３】
この発明に係るＦＥＣフレーム構成方法は、第１の誤り訂正符号および第２の誤り訂正符号がそれぞれＲＳ（ｑ，ｒ）およびＲＳ（ｐ，ｑ）で表示されるリードソロモン符号（ｐ，ｑおよびｒは自然数であり、ｐ＞ｑ＞ｒ、ｐは第２の誤り訂正符号の符号長、ｑは第２の誤り訂正符号の情報長および第１の誤り訂正符号の符号長、ｒは第１の誤り訂正符号の情報長）としたものである。
【００１４】
この発明に係るＦＥＣ多重化装置は、第１のインタリーブ手段によって順序が組み替えられた並列情報に対して第１の誤り訂正符号を生成し、冗長情報領域に格納する第１の誤り訂正符号化手段と、第１のデインタリーブ手段によって組み直された並列情報に対して第２の誤り訂正符号を生成し、冗長情報領域に格納する第２の誤り訂正符号化手段と、光伝送路を通じて伝送されたＦＥＣフレームの並列情報の冗長情報領域に格納された第２の誤り訂正符号を復号処理し、並列情報の誤りを訂正する第２の誤り訂正復号手段と、第２のインタリーブ手段によって組み替えられた並列情報の冗長情報領域に格納された第１の誤り訂正符号を復号処理し、並列情報の残留した誤りを訂正する第１の誤り訂正復号手段と、並列情報の第２のインタリーブ手段において組み替えられた順序を再び元の順序に組み直す第２のデインタリーブ手段とを備えたものである。
【００１５】
この発明に係るＦＥＣ多重化装置は、第２の誤り訂正復号手段、第２のインタリーブ手段、第１の誤り訂正復号手段、および第２のデインタリーブ手段からなる誤り訂正手段を多段縦続接続したものである。
【００１６】
この発明に係るＦＥＣ多重化装置は、ＦＥＣフレーム構成方法に応じてＦＥＣフレームを構成すると共に、その構成されたＦＥＣフレームを処理するものである。
【００１７】
【発明の実施の形態】
以下、この発明の実施の一形態を説明する。
実施の形態１．
図１はこの発明の実施の形態１によるＦＥＣフレーム構成方法およびＦＥＣ多重化装置を適用した光伝送システムを示す構成図であり、図において、２１はＳＴＭ−１６光信号を受信し、光信号を電気信号に変換する第１の光受信器、２２は第１の光受信器２１からの電気信号を多重分離し、オーバヘッド情報の挿入、および誤り訂正符号化等を行った後で再び多重化を行い、ＦＥＣフレームを構成するＦＥＣ多重化回路（ＦＥＣ多重化装置）、２３はＦＥＣフレームを光信号に変換する第１の光送信器である。２４は光信号のＦＥＣフレームを伝送する光伝送路、２５は光伝送路２４によって伝送されたＦＥＣフレームを光信号から電気信号に変換する第２の光受信器、２６は第２の光受信器２５からの電気信号を多重分離し、ＦＥＣフレームのフレーム同期、誤り訂正符号の復号およびオーバヘッド情報の分離等の処理を行った後で、再び多重化を行うＦＥＣ多重分離回路（ＦＥＣ多重化装置）、２７はＦＥＣ多重分離回路２６からの電気信号を光信号に変換してＳＴＭ−１６光信号を出力する第２の光送信器である。
【００１８】
図２はこの発明の実施の形態１によるＦＥＣ多重化装置を示す構成図であり、図において、上段は図１におけるＦＥＣ多重化回路２２、下段は図１におけるＦＥＣ多重分離回路２６を示すものである。図において、１は２．５Ｇｂｉｔ／ｓＳＴＭ−１６データを１６並列１５６Ｍｂｉｔ／ｓデータに多重分離する第１の多重分離回路（第１の多重分離手段）、２は１６並列１５６Ｍｂｉｔ／ｓデータを１２８並列１９Ｍｂｉｔ／ｓデータに多重分離する第２の多重分離回路（第１の多重分離手段）である。３１は１２８並列１９Ｍｂｉｔ／ｓデータに冗長情報領域を付加して、その冗長情報領域を付加した分だけ伝送速度を２２Ｍｂｉｔ／ｓに上昇させる第１の速度変換回路（第１の速度変換手段）、４は光伝送システムの保守、運用に必要な例えば、フレーム同期情報等のオーバヘッド情報を冗長情報領域に挿入するオーバヘッド挿入回路（オーバヘッド挿入手段）である。３２は１２８並列２２Ｍｂｉｔ／ｓデータの順序を組み替える第１のインタリーブ回路（第１のインタリーブ手段）、３３はＲＳ（２３９，２２３）誤り訂正符号化を行い、その誤り訂正符号の冗長情報を冗長情報領域に格納するＲＳ（２３９，２２３）符号化回路（第１の誤り訂正符号化手段）である。３４は第１のインタリーブ回路３２において組み替えられた１２８並列２２Ｍｂｉｔ／ｓデータの順序を再び元の順序に組み直す第１のデインタリーブ回路（第１のデインタリーブ手段）、５はＲＳ（２５５，２３９）誤り訂正符号化を行い、その誤り訂正符号の冗長情報を冗長情報領域に格納するＲＳ（２５５，２３９）符号化回路（第２の誤り訂正符号化手段）である。６は１２８並列２２Ｍｂｉｔ／ｓデータを１６並列１７９Ｍｂｉｔ／ｓデータに多重化する第１の多重化回路（第１の多重化手段）、７は１６並列１７９Ｍｂｉｔ／ｓデータを２．８６Ｇｂｉｔ／ｓＦＥＣフレームに多重化する第２の多重化回路（第１の多重化手段）である。
【００１９】
８は２．８６Ｇｂｉｔ／ｓＦＥＣフレームを１６並列１７９Ｍｂｉｔ／ｓデータに多重分離する第３の多重分離回路（第２の多重分離手段）、９は１６並列１７９Ｍｂｉｔ／ｓデータを１２８並列２２Ｍｂｉｔ／ｓデータに多重分離する第４の多重分離回路（第２の多重分離手段）、１０は冗長情報領域に格納されたオーバヘッド情報に応じて１２８並列２２Ｍｂｉｔ／ｓデータの先頭位置を検出するフレーム同期回路（フレーム同期手段）である。４０は誤り訂正回路（誤り訂正手段）であり、この誤り訂正回路４０において、１１は１２８並列２２Ｍｂｉｔ／ｓデータを復号処理し、ＲＳ（２５５，２３９）誤り訂正符号の復号に応じて、ビット誤りを訂正するＲＳ（２５５，２３９）復号回路（第２の誤り訂正復号手段）、３５は１２８並列２２Ｍｂｉｔ／ｓデータの順序を第１のインタリーブ回路３２と同様に組み替える第２のインタリーブ回路（第２のインタリーブ手段）、３６はＲＳ（２５５，２３９）冗長情報を除く１２８並列２２Ｍｂｉｔ／ｓデータを復号処理し、ＲＳ（２３９，２２３）誤り訂正符号の復号に応じてビット誤りを訂正するＲＳ（２３９，２２３）復号回路（第１の誤り訂正復号手段）、３７は第２のインタリーブ回路３５において組み替えられた１２８並列２２Ｍｂｉｔ／ｓデータの順序を再び元の順序に組み直す第２のデインタリーブ回路（第２のデインタリーブ手段）である。１２は冗長情報領域からオーバヘッド情報を分離するオーバヘッド分離回路（オーバヘッド分離手段）、３８は１２８並列２２Ｍｂｉｔ／ｓデータから冗長情報領域を削除して、その冗長情報領域を削除した分だけ、伝送速度を１９Ｍｂｉｔ／ｓに低下させる第２の速度変換回路（第２の速度変換手段）である。１４は１２８並列１９Ｍｂｉｔ／ｓデータを１６並列１５６Ｍｂｉｔ／ｓデータに多重化する第３の多重化回路（第２の多重化手段）、１５は１６並列１５６Ｍｂｉｔ／ｓデータを２．５Ｇｂｉｔ／ｓＳＴＭ−１６データに多重化する第４の多重化回路（第２の多重化手段）である。
【００２０】
次に動作について説明する。
図１において、第１の光受信器２１は、ＳＴＭ−１６光信号を受信し、光信号を電気信号に変換する。ＦＥＣ多重化回路２２は、その変換された電気信号を多重分離し、冗長情報領域にオーバヘッド情報、および誤り訂正符号を格納して、再び多重化を行いＦＥＣフレームを構成する。第１の光送信器２３は、ＦＥＣフレームを光信号に変換して光ファイバからなる光伝送路２４に送出する。第２の光受信器２５は、光伝送路２４を通じて伝送されたＦＥＣフレームを光信号から電気信号に変換する。ＦＥＣ多重分離回路２６は、その変換された電気信号を多重分離し、冗長情報領域に格納されたオーバヘッド情報に応じてＦＥＣフレームをフレーム同期させると共に、誤り訂正符号を復号してビット誤りを訂正して、さらに、冗長情報領域を削除して、再び多重化を行う。第２の光送信器２７は、ＦＥＣ多重分離回路２６からの電気信号を光信号に変換してＳＴＭ−１６光信号を出力する。ここで、光伝送路２４では光信号の長距離大容量伝送に起因して光ＳＮＲが劣化するので、第２の光受信器２５から出力されるＦＥＣフレームでは多数のビット誤りが生じており、このビット誤りはＦＥＣ多重分離回路２６で訂正され、第２の光送信器２７が出力するＳＴＭ−１６光信号のビット誤り率が大幅に向上し、所定の品質の通信サービスを提供することができる。
【００２１】
図２の上段、すなわち、ＦＥＣ多重化回路２２において、第１の多重分離回路１は、２．５Ｇｂｉｔ／ｓＳＴＭ−１６データを１６並列１５６Ｍｂｉｔ／ｓデータに多重分離し、第２の多重分離回路２は、１６並列１５６Ｍｂｉｔ／ｓデータを１２８並列１９Ｍｂｉｔ／ｓデータに多重分離する。第１の速度変換回路３１は、１２８並列１９Ｍｂｉｔ／ｓデータに冗長情報領域を付加して、その冗長情報領域を付加した分だけ伝送速度を２２Ｍｂｉｔ／ｓに上昇させ、オーバヘッド挿入回路４は、光伝送システムの保守、運用に必要な例えば、フレーム同期情報等のオーバヘッド情報を冗長情報領域に挿入する。第１のインタリーブ回路３２は、１２８並列２２Ｍｂｉｔ／ｓデータの順序を組み替え、ＲＳ（２３９，２２３）符号化回路３３は、ＲＳ（２３９，２２３）誤り訂正符号化を行い、その誤り訂正符号の冗長情報を冗長情報領域に格納する。第１のデインタリーブ回路３４は、第１のインタリーブ回路３２において組み替えられた１２８並列２２Ｍｂｉｔ／ｓデータの順序を再び元の順序に組み直し、ＲＳ（２５５，２３９）符号化回路５は、ＲＳ（２５５，２３９）誤り訂正符号化を行い、その誤り訂正符号の冗長情報を冗長情報領域に格納する。第１の多重化回路６は、１２８並列２２Ｍｂｉｔ／ｓデータを１６並列１７９Ｍｂｉｔ／ｓデータに多重化し、第２の多重化回路７は、さらに１６並列１７９Ｍｂｉｔ／ｓデータを多重化して２．８６Ｇｂｉｔ／ｓＦＥＣフレームを出力する。
【００２２】
一方、図２の下段、すなわち、ＦＥＣ多重分離回路２６において、第３の多重分離回路８は、２．８６Ｇｂｉｔ／ｓＦＥＣフレームを１６並列１７９Ｍｂｉｔ／ｓデータに多重分離し、第４の多重分離回路９は、さらに１６並列１７９Ｍｂｉｔ／ｓデータを１２８並列２２Ｍｂｉｔ／ｓデータに多重分離する。フレーム同期回路１０は、冗長情報領域に格納されたオーバヘッド情報を検定し、１２８並列２２Ｍｂｉｔ／ｓデータの先頭位置を検出する。誤り訂正回路４０におけるＲＳ（２５５，２３９）復号回路１１は、１２８並列２２Ｍｂｉｔ／ｓデータを復号処理し、ＲＳ（２５５，２３９）誤り訂正符号の復号に応じてビット誤りを訂正する。第２のインタリーブ回路３５は、１２８並列２２Ｍｂｉｔ／ｓデータの順序を第１のインタリーブ回路３２と同様に組み替え、ＲＳ（２３９，２２３）復号回路３６は、ＲＳ（２５５，２３９）冗長情報を除く１２８並列２２Ｍｂｉｔ／ｓデータを復号処理し、ＲＳ（２３９，２２３）誤り訂正符号の復号に応じてビット誤りを訂正する。第２のデインタリーブ回路３７は、第２のインタリーブ回路３５において組み替えられた１２８並列２２Ｍｂｉｔ／ｓデータの順序を再び元の順序に組み直す。オーバヘッド分離回路１２は、冗長情報領域からオーバヘッド情報を分離し、第２の速度変換回路３８は、１２８並列２２Ｍｂｉｔ／ｓデータから冗長情報領域を削除し、その冗長情報領域を削除した分だけ伝送速度を１９Ｍｂｉｔ／ｓに低下させる。第３の多重化回路１４は、１２８並列１９Ｍｂｉｔ／ｓデータを１６並列１５６Ｍｂｉｔ／ｓデータに多重化し、第４の多重化回路１５は、さらに１６並列１５６Ｍｂｉｔ／ｓデータを多重化して２．５Ｇｂｉｔ／ｓＳＴＭ−１６データを出力する。
【００２３】
図３はオーバヘッド挿入回路から出力されるＦＥＣフレームを示す構成図であり、図４はＲＳ（２３９，２２３）符号化回路から出力されるＦＥＣフレームを示す構成図であり、図５はＲＳ（２５５，２３９）符号化回路から出力されるＦＥＣフレームおよび第２の多重化回路から出力されるＦＥＣフレームを示す構成図である。
図３に示すように、オーバヘッド挿入回路４から出力される１２８並列２２Ｍｂｉｔ／ｓデータは、１ビットのオーバヘッド情報、２２２ビットのＳＴＭ−１６データ、１６ビットのＲＳ（２３９，２２３）冗長情報、および１６ビットのＲＳ（２５５，２３９）冗長情報からなるｎ（ｎ＝１２８）個のサブフレームにより構成されている。ここで、ＳＴＭ−１６データを伝送情報とし、オーバヘッド情報、ＲＳ（２３９，２２３）冗長情報、およびＲＳ（２５５，２３９）冗長情報は、冗長情報領域に格納されるものとする。
オーバヘッド挿入回路４では、サブフレーム１〜１２８のそれぞれのオーバヘッド情報領域にオーバヘッド情報を格納する。図３では、サブフレーム１〜１２８をｍ（ｍ＝８）個のサブフレーム毎に区分して、ｎ／ｍ（１２８／８＝１６）単位のサブフレームのオーバヘッド情報領域にオーバヘッド情報ＯＨ１〜ＯＨ１６が格納されているものとして示している。
第１のインタリーブ回路３２では、図３に示した１２８並列２２Ｍｂｉｔ／ｓデータに対し、図４に示す１２８並列２２Ｍｂｉｔ／ｓデータのようにｍ（ｍ＝８）個のサブフレーム毎に区分して、ｎ／ｍ（１２８／８＝１６）単位のサブフレームのデータの順序を組み替える。ここでは、データの組み替えの一例として、１列目は入れ替えなし、２列目は８サブフレーム毎に１つ上にシフト、３列目は２つ上にシフト、・・・、１６列目は上に１５シフト、１７列目は上に１６シフト（入れ替えなしと同一）の場合、すなわち、ｌ（ｌ＝１６）回インタリーブした場合を示している（インタリーブ工程）。
ＲＳ（２３９，２２３）符号化回路３３は、図４に示した１２８並列２２Ｍｂｉｔ／ｓデータのように、オーバヘッド情報およびＳＴＭ−１６データを対象として、８個のサブフレーム毎にＲＳ（２３９，２２３）誤り訂正符号を生成し、その誤り訂正符号の冗長情報を冗長情報領域のＲＳ（２３９，２２３）誤り訂正符号領域にそれぞれ格納する（第1の誤り訂正符号生成工程）。
第１のデインタリーブ回路３４は、図４に示した１２８並列２２Ｍｂｉｔ／ｓデータに対して、図５に示す１２８並列２２Ｍｂｉｔ／ｓデータようにＳＴＭ−１６データ領域が元の順序となるように８個のサブフレーム毎にデータの順序を組み直す（インタリーブ工程、デインタリーブ工程）。
ＲＳ（２５５，２３９）符号化回路５は、図５の上段に示した１２８並列２２Ｍｂｉｔ／ｓデータのように、オーバヘッド情報、ＳＴＭ−１６データおよびＲＳ（２３９，２２３）冗長情報を対象として、８個のサブフレーム毎にＲＳ（２５５，２３９）誤り訂正符号を生成し、その誤り訂正符号の冗長情報を冗長情報領域のＲＳ（２５５，２３９）誤り訂正符号の冗長領域にそれぞれ格納する（第２の誤り訂正符号生成工程）。
図５の上段に示した１２８並列２２Ｍｂｉｔ／ｓデータは、第１の多重化回路６および第２の多重化回路７において多重化され、図５の下段に示す２．８６Ｇｂｉｔ／ｓＦＥＣフレームが構成される。ここで、ｆは（ｎ／ｍ＝１２８／８＝１６）である。
この実施の形態１のＦＥＣフレームでは、元のＳＴＭ−１６データの２．８６Ｇｂｉｔ／ｓの伝送速度に対して、２２２ビットのＳＴＭ−１６データに３３ビットの冗長情報領域が付加され、伝送速度が２５５／２２２倍に上昇するので、ＦＥＣフレームの伝送速度は２．８６Ｇｂｉｔ／ｓとなる。
【００２４】
一方、ＦＥＣ多重分離回路２６においては、ＲＳ（２５５，２３９）復号回路１１で、図５の上段に示した１２８並列２２Ｍｂｉｔ／ｓデータのオーバヘッド情報、ＳＴＭ−１６データ、ＲＳ（２３９，２２３）冗長情報、およびＲＳ（２５５，２３９）冗長情報に対して８個のサブフレーム毎にＲＳ（２５５，２３９）誤り訂正復号化を行うことにより、ＲＳ（２５５，２３９）誤り訂正符号の復号に応じて、オーバヘッド情報、ＳＴＭ−１６データ、ＲＳ（２３９、２２３）の冗長情報およびＲＳ（２５５，２３９）冗長情報のビット誤りを訂正する。ここで、訂正性能を越える多数のビット誤りが発生している場合には、ＲＳ（２５５，２３９）復号回路１１の出力データにはビット誤りが残留する。
第２のインタリーブ回路３５は、１２８並列２２Ｍｂｉｔ／ｓデータの順序を第１のインタリーブ回路３２と同様に組み替え、ＲＳ（２３９，２２３）復号回路３６は、図４に示した１２８並列２２Ｍｂｉｔ／ｓデータのオーバヘッド情報、ＳＴＭ−１６データ、およびＲＳ（２３９，２２３）冗長情報に対して８個のサブフレーム毎にＲＳ（２３９，２２３）誤り訂正復号化を行うことにより、ＲＳ（２３９，２２３）誤り訂正符号の復号に応じて、各符号内に残留したビット誤りを訂正する。このように、ＲＳ（２５５，２３９）誤り訂正符号とＲＳ（２３９，２２３）誤り訂正符号とでは、誤り訂正符号化の対象となる情報が組み替えられており、このためビット誤りが各符号間で分散するので、大幅に誤り訂正性能を向上することが可能となる。
第２のデインタリーブ回路３７は、第２のインタリーブ回路３５において組み替えられた１２８並列２２Ｍｂｉｔ／ｓデータの順序を再び元の順序に組み直す。
【００２５】
以上のように、この実施の形態１によれば、ＦＥＣフレーム構成方法およびＦＥＣ多重化装置において、２種類の誤り訂正符号化を行い、第１のインタリーブ回路３２、第１のデインタリーブ回路３４、第２のインタリーブ回路３５、および第２のデインタリーブ回路３７を配置し、２種類の誤り訂正符号間で情報の組み替えを行っているので、従来の技術で示した構成に比べて大幅に誤り訂正性能が向上し、伝送速度が２．８９Ｇｂｉｔ／ｓに上昇しても、長距離で大容量の光伝送システムを構築することが可能となる。また、初段のＲＳ（２３９，２２３）符号化回路３３の前段に第１のインタリーブ回路３２を配置し、次段のＲＳ（２５５，２３９）符号化回路５の前段に第１のデインタリーブ回路３４を配置しているので、ＦＥＣフレーム内のＳＴＭ−１６データの順序を替えずに伝送することができる。
さらに、インタリーブ回数およびデインタリーブ回数（ｌ＝１６）と、インタリーブおよびデインタリーブされるサブフレームの単位数（ｎ／ｍ＝１２８／８＝１６）を同一としたので、誤り訂正符号化の対象となる情報が均等に組み替えられ、情報の誤りが均等に分散されるので、誤り訂正性能をさらに向上させることができると共に、このＦＥＣ多重化装置の構成を容易にし、小型化することができる。
【００２６】
実施の形態２．
図６はこの発明の実施の形態２によるＦＥＣ多重化装置を示す構成図であり、ＲＳ（２５５，２３９）復号回路１１、第２のインタリーブ回路３５、ＲＳ（２３９，２２３）復号回路３６、および第２のデインタリーブ回路３７からなる誤り訂正回路（誤り訂正手段）４０を多段縦続接続したものである。
【００２７】
次に動作について説明する。
図６はＦＥＣ多重分離回路２６において、誤り訂正回路４０を多段縦続接続したものであり、この実施の形態２によれば、２種類の誤り訂正符号に対して繰り返しビット誤りの訂正を順次繰り返すので、さらに誤り訂正性能を向上させることができると共に、ＦＥＣフレームの構成を変更する必要がなく、また、誤り訂正回路４０を多段縦続接続する以外のハードウエアの変更なしで、さらに、長距離、大容量光伝送システムを構築することが可能となる。
【００２８】
実施の形態３．
図７はこの発明の実施の形態３によるＦＥＣフレーム構成方法を示す説明図であり、ｋ（ｋ＝４）個のＦＥＣフレームを１周期として、各ＦＥＣフレームのインタリーブを行う情報を１６ビットずつずらして、ｎ／ｍ（＝１２８／８＝１６）回ずつインタリーブして、全ｌ回（ｌはｎ／ｍのｋ倍：１６×４＝６４）回インタリーブを行うようにするものである。
【００２９】
次に動作について説明する。
上記実施の形態１では、２種類の符号間のインタリーブ数ｌが、ｌ＝１６の場合を示したが、インタリーブ数ｌをたとえば、ｌ＝３２，４８，６４，・・・のように１６の自然数倍とすることにより、伝送速度の上昇率を一定に保ったままで誤り訂正性能を向上させることが可能である。図７は４個のＦＥＣフレームを１周期とした場合を示しており、各ＦＥＣフレームのインタリーブを行う情報を１６ビットずつずらして、１６回ずつインタリーブして、全１６×４＝６４回インタリーブを行うようにすればよい。
【００３０】
以上のように、この実施の形態３によれば、ＦＥＣフレームの基本構成を変更することなく、また、ハードウエアについては第１のインタリーブ回路３２、第１のデインタリーブ回路３４、第２のインタリーブ回路３５、および第２のデインタリーブ回路３７の変更のみで、伝送速度の上昇率を一定に保ったままで誤り訂正性能を向上させることが可能であり、さらに光ＳＮＲの劣化量の大きい長距離、大容量光伝送システムを構築することが可能となる。
【００３１】
実施の形態４．
上記実施の形態においては、ＦＥＣフレームの速度を２．８６Ｇｂｉｔ／ｓとして、光伝送路２４を伝送する例を示したが、複数のＦＥＣフレームをさらに多重化し、光伝送路２４を伝送する光信号の伝送速度をａ×２．８６Ｇｂｉｔ／ｓとしてもよく（ａは任意の自然数）、また、伝送情報として２．５Ｇｂｉｔ／ｓのＳＴＭ−１６データとして説明したが、ＦＥＣ多重化回路２２およびＦＥＣ多重分離回路２６をｂ個配置してｂ系統のＦＥＣフレームを処理する構成とし（ｂは任意の自然数）、情報をｂ×２．５Ｇｂｉｔ／ｓのデータ（例えば、ｂ＝４の場合には１０Ｇｂｉｔ／ｓＳＴＭ−６４データ）としてもよく、さらには、他の規格に従った伝送速度のデータでも上記従来の技術と同様なＦＥＣフレーム構成を適用することが可能であり、この場合には、他の規格に従った伝送速度のデータに対応したＦＥＣフレームの速度となる。
【００３２】
実施の形態５．
上記実施の形態では、誤り訂正符号としてリードソロモン（ＲＳ）符号で表示されるＲＳ（２５５，２３９）とＲＳ（２３９，２２３）の例を示したが、例えば、ＲＳ（２５５，２３９）とＲＳ（２３９，２０７）としてもよく、ここで、前者のＲＳ符号の符号長をｐ、情報長をｑ、後者のＲＳ符号の情報長をｒとすると、ＲＳ（ｐ，ｑ）とＲＳ（ｑ，ｒ）とすればよく、ＦＥＣフレームにおいて各サブフレームのビット長をｐ，ｑ，ｒの値に対応した値とすればよく、また、オーバヘッド情報を各サブフレームに１ビットとした場合の例を示したが、各サブフレームに２ビット以上のオーバヘッド情報を設けてもよい。
【００３３】
【発明の効果】
以上のように、この発明によれば、ｎ個のサブフレームにおける情報に対してｍ個のサブフレーム毎に符号化し第１の誤り訂正符号を生成して付加する第１の誤り訂正符号生成工程と、第１の誤り訂正符号が付加されたｎ個のサブフレームをｍ個のサブフレーム毎に区分して、ｎ／ｍ単位のサブフレームの情報に対してｌ回インタリーブするインタリーブ工程と、ｎ個のサブフレームにおける情報に対してｍ個のサブフレーム毎に符号化し第２の誤り訂正符号を生成して付加する第２の誤り訂正符号生成工程と、第２の誤り訂正符号が付加されたｎ個のサブフレームをｎ多重化してＦＥＣフレームを生成するＦＥＣフレーム生成工程とを備えるように構成したので、このＦＥＣフレーム構成方法によってＦＥＣフレームを構成すれば、誤り訂正符号化の対象とする情報が互いに組み替えられた２種類の第１および第２の誤り訂正符号が付加されるので、受信側では、それら２種類の第１および第２の誤り訂正符号を復号することにより、１種類の誤り訂正符号の復号では訂正できない、残留した誤りを訂正することができる。従って、情報に対する誤り訂正符号の比率が上昇して伝送速度が上昇し、光伝送特性の劣化量が増加しても、大幅な誤り訂正性能の向上が可能な効果が得られる。
【００３４】
この発明によれば、ｎ個のサブフレームをｍ個のサブフレーム毎に区分して、ｎ／ｍ単位のサブフレームの情報に対してｌ回インタリーブするインタリーブ工程と、ｎ個のサブフレームにおける情報に対してｍ個のサブフレーム毎に符号化し第１の誤り訂正符号を生成して付加する第１の誤り訂正符号生成工程と、第１の誤り訂正符号が付加されたｎ個のサブフレームに対してｌ回デインタリーブしてインタリーブ工程によってインタリーブされた情報を元の情報に戻すデインタリーブ工程と、ｎ個のサブフレームにおける情報に対してｍ個のサブフレーム毎に符号化し第２の誤り訂正符号を生成して付加する第２の誤り訂正符号生成工程と、第２の誤り訂正符号が付加されたｎ個のサブフレームをｎ多重化してＦＥＣフレームを生成するＦＥＣフレーム生成工程とを備えるように構成したので、このＦＥＣフレーム構成方法によってＦＥＣフレームを構成すれば、誤り訂正符号化の対象とする情報が互いに組み替えられた２種類の第１および第２の誤り訂正符号が付加されるので、受信側では、それら２種類の第１および第２の誤り訂正符号を復号することにより、１種類の誤り訂正符号の復号では訂正できない、残留した誤りを訂正することができる。従って、情報に対する誤り訂正符号の比率が上昇して伝送速度が上昇し、光伝送特性の劣化量が増加しても、大幅な誤り訂正性能の向上が可能な効果が得られる。
また、インタリーブ工程によってインタリーブされた情報を、デインタリーブ工程によってデインタリーブすることによって、元の情報に戻してＦＥＣフレームが構成されるので、順序の組み替えられていない元の情報のＦＥＣフレームを伝送することができる効果が得られる。
【００３５】
この発明によれば、ｌはｎ／ｍとするように構成したので、インタリーブ回数およびデインタリーブ回数と、インタリーブおよびデインタリーブされるサブフレームの単位数が同一となり、誤り訂正符号化の対象となる情報が均等に組み替えられ、情報の誤りが均等に分散されるので、誤り訂正性能をさらに向上させることができると共に、このＦＥＣフレーム構成方法によってＦＥＣフレームを生成する装置構成を容易にし、小型化することができる効果が得られる。
【００３６】
この発明によれば、ｌはｎ／ｍのｋ倍であり、ｋ個のＦＥＣフレームを１周期として、各ＦＥＣフレームのそれぞれ異なる情報に対してｎ／ｍ回のインタリーブを行うように構成したので、伝送速度の上昇率を一定にしたままで、誤り訂正性能をさらに向上させることができる効果が得られる。
【００３７】
この発明によれば、第１の誤り訂正符号および第２の誤り訂正符号がそれぞれＲＳ（ｑ，ｒ）およびＲＳ（ｐ，ｑ）で表示されるリードソロモン符号（ｐ，ｑおよびｒは自然数であり、ｐ＞ｑ＞ｒ、ｐは第２の誤り訂正符号の符号長、ｑは第２の誤り訂正符号の情報長および第１の誤り訂正符号の符号長、ｒは第１の誤り訂正符号の情報長）であるように構成したので、上記条件に応じて伝送速度の上昇率を一定にしたままで、誤り訂正性能を向上させることができるＦＥＣフレームを容易に構成することができる効果が得られる。
【００３８】
この発明によれば、第１のインタリーブ手段によって順序が組み替えられた並列情報に対して第１の誤り訂正符号を生成し、冗長情報領域に格納する第１の誤り訂正符号化手段と、第１のデインタリーブ手段によって組み直された並列情報に対して第２の誤り訂正符号を生成し、冗長情報領域に格納する第２の誤り訂正符号化手段と、光伝送路を通じて伝送されたＦＥＣフレームの並列情報の冗長情報領域に格納された第２の誤り訂正符号を復号処理し、並列情報の誤りを訂正する第２の誤り訂正復号手段と、第２のインタリーブ手段によって組み替えられた並列情報の冗長情報領域に格納された第１の誤り訂正符号を復号処理し、並列情報の残留した誤りを訂正する第１の誤り訂正復号手段と、並列情報の第２のインタリーブ手段において組み替えられた順序を再び元の順序に組み直す第２のデインタリーブ手段とを備えるように構成したので、光伝送路に伝送されたＦＥＣフレームには、誤り訂正符号化の対象とする情報が互いに組み替えられた２種類の第１および第２の誤り訂正符号が付加されるので、受信側では、それら２種類の第１および第２の誤り訂正符号を復号することにより、１種類の誤り訂正符号の復号では訂正できない、残留した誤りを訂正することができる。従って、情報に対する誤り訂正符号の比率が上昇して伝送速度が上昇し、光伝送特性の劣化量が増加しても、大幅な誤り訂正性能の向上が可能となる効果が得られる。
また、第１のインタリーブ手段によってインタリーブされた情報を、第１のデインタリーブ手段によってデインタリーブすることによって、順序の組み替えられていない元の情報のＦＥＣフレームを光伝送路に伝送することができる効果が得られる。
【００３９】
この発明によれば、第２の誤り訂正復号手段、第２のインタリーブ手段、第１の誤り訂正復号手段、および第２のデインタリーブ手段からなる誤り訂正手段を多段縦続接続するように構成したので、誤り訂正手段を追加構成するだけで、ＦＥＣフレームの構成を変更することなく、２種類の誤り訂正符号に対して誤り訂正を多数繰り返すことによって、さらに、誤り訂正性能を向上させることができる効果が得られる。
【００４０】
この発明によれば、ＦＥＣフレーム構成方法に応じてＦＥＣフレームを構成すると共に、その構成されたＦＥＣフレームを処理するように構成したので、ＦＥＣフレーム構成方法による効果を含むＦＥＣ多重化装置が得られる効果がある。
【図面の簡単な説明】
【図１】  この発明の実施の形態１によるＦＥＣフレーム構成方法およびＦＥＣ多重化装置を適用した光伝送システムを示す構成図である。
【図２】  この発明の実施の形態１によるＦＥＣ多重化装置を示す構成図である。
【図３】  オーバヘッド挿入回路から出力されるＦＥＣフレームを示す構成図である。
【図４】  ＲＳ（２３９，２２３）符号化回路から出力されるＦＥＣフレームを示す構成図である。
【図５】  ＲＳ（２５５，２３９）符号化回路から出力されるＦＥＣフレームおよび第２の多重化回路から出力されるＦＥＣフレームを示す構成図である。
【図６】  この発明の実施の形態２によるＦＥＣ多重化装置を示す構成図である。
【図７】  この発明の実施の形態３によるＦＥＣフレーム構成方法を示す説明図である。
【図８】  従来のＦＥＣ多重化装置を示す構成図である。
【図９】  オーバヘッド挿入回路から出力されるＦＥＣフレームを示す構成図である。
【図１０】  ＲＳ（２５５，２３９）符号化回路から出力されるＦＥＣフレームおよび第２の多重化回路から出力されるＦＥＣフレームを示す構成図である。
【符号の説明】
１  第１の多重分離回路（第１の多重分離手段）、２  第２の多重分離回路（第１の多重分離手段）、４  オーバヘッド挿入回路（オーバヘッド挿入手段）、５  ＲＳ（２５５，２３９）符号化回路（第２の誤り訂正符号化手段）、６  第１の多重化回路（第１の多重化手段）、７  第２の多重化回路（第１の多重化手段）、８  第３のＦＥＣ多重分離回路（第２の多重分離手段）、９  第４のＦＥＣ多重分離回路（第２の多重分離手段）、１０  フレーム同期回路（フレーム同期手段）、１１  ＲＳ（２５５，２３９）復号回路（第２の誤り訂正復号手段）、１２  オーバヘッド分離回路（オーバヘッド分離手段）、１４  第３の多重化回路（第２の多重化手段）、１５  第４の多重化回路（第２の多重化手段）、２１  第１の光受信器、２２  ＦＥＣ多重化回路（ＦＥＣ多重化装置）、２３  第１の光送信器、２４  光伝送路、２５  第２の光受信器、２６  ＦＥＣ多重分離回路（ＦＥＣ多重化装置）、２７  第２の光送信器、３１  第１の速度変換回路（第１の速度変換手段）、３２  第１のインタリーブ回路（第１のインタリーブ手段）、３３  ＲＳ（２３９，２２３）符号化回路（第１の誤り訂正符号化手段）、３４  第１のデインタリーブ回路（第１のデインタリーブ手段）、３５  第２のインタリーブ回路（第２のインタリーブ手段）、３６  ＲＳ（２３９，２２３）復号回路（第１の誤り訂正復号手段）、３７  第２のデインタリーブ回路（第２のデインタリーブ手段）、３８  第２の速度変換回路（第２の速度変換手段）、４０  誤り訂正回路（誤り訂正手段）。
【図１】
0003841990.tif 000002
【図２】
0003841990.tif 000003
【図３】
0003841990.tif 000004
【図４】
0003841990.tif 000005
【図５】
0003841990.tif 000006
【図６】
0003841990.tif 000007
【図７】
0003841990.tif 000008
【図８】
0003841990.tif 000009
【図９】
0003841990.tif 000010
【図１０】
0003841990.tif 000011